(57)【要約】【課題】靴を付けて日中アスファルト舗装の上を散歩しても、犬猫等のペットの足裏が火傷したり、犬猫等のペットが熱射病にならないペット用靴を作る。【解決の手段】犬猫等の足を入れる袋の内側の底部に犬猫等の足を乗せる発泡ゴム等でできた板状の断熱材を取り付け、犬猫等の足を入れる袋の外側底部に発泡ゴム等でできた断熱材の靴底部を取り付け、犬猫等の足を入れる通気性の良い袋は外気の熱を反射する金属繊維布等の熱反射効果の高い繊維でできていて、又は犬猫等の足を入れる袋Ａは外気の熱を反射する金属フィルム等の熱反射効果の高いフィルムでできていてる、以上のことを特徴とするペット用靴。【選択図】    図１
2004208615.tif 000002
【特許請求の範囲】
【請求項１】
犬猫等の足に履かせる靴で、犬猫等の足を入れる通気性の良い袋Ａの内側の底部に犬猫等の足を乗せる発泡ゴム等でできた板状の断熱材Ｃを取り付け、犬猫等の足を入れる通気性の良い袋Ａの内側は綿布等の断熱効果の高い繊維でできていて、犬猫等の足を入れる通気性の良い袋Ａの外側は外気の熱を反射する金属繊維布等の熱反射効果の高い繊維でできていて、犬猫等の足を入れる袋Ａの外側に面ファスナ結合式等の結合式Ｅを取り付け、犬猫等の足を入れる袋Ａの外側にベルトＤを取り付け、ベルトＤに面ファスナ結合式等の結合式Ｅを取り付け、犬猫等の足を入れる袋Ａの外側に取り付けた面ファスナ結合式等の結合式ＥとベルトＤに取り付けた面ファスナ結合式等の結合式Ｅは結合できるように取り付け、面ファスナ結合式等の結合式Ｅを結合して、犬猫等の足を入れる袋Ａが犬猫等の足に固定できるようにし、犬猫等の足を入れる袋Ａの外側の底部に靴底部である発泡ゴム等でできた断熱材Ｂを取り付け、靴底部である発泡ゴム等でできた断熱材Ｂの外側の底面及び周囲を滑り止め加工として凹凸状にした、以上のことを特徴とするペット用靴。
【請求項２】
犬猫等の足に履かせる靴で、犬猫等の足を入れる袋Ａの内側の底部に犬猫等の足を乗せる発泡ゴム等でできた板状の断熱材Ｃを取り付け、犬猫等の足を入れる袋Ａは外気の熱を反射する金属繊維布等の熱反射効果の高い繊維でできていて、又は犬猫等の足を入れる袋Ａは外気の熱を反射する金属フィルム等の熱反射効果の高いフィルムでできていて、犬猫等の足を入れる袋Ａの外側に面ファスナ結合式等の結合式Ｅを取り付け、犬猫等の足を入れる袋Ａの外側にベルトＤを取り付け、ベルトＤに面ファスナ結合式等の結合式Ｅを取り付け、犬猫等の足を入れる袋Ａの外側に取り付けた面ファスナ結合式等の結合式ＥとベルトＤに取り付けた面ファスナ結合式等の結合式Ｅは結合できるように取り付け、面ファスナ結合式等の結合式Ｅを結合して、犬猫等の足を入れる袋Ａが犬猫等の足に固定できるようにし、犬猫等の足を入れる袋Ａの外側の底部に靴底部である発泡ゴム等でできた断熱材Ｂを取り付け、靴底部である発泡ゴム等でできた断熱材Ｂの外側の底面及び周囲を滑り止め加工として凹凸状にした、以上のことを特徴とするペット用靴。
【請求項３】
犬猫等の足に履かせる靴で、犬猫等の足を入れる通気性の良い袋Ａの内側は綿布等の断熱効果の高い繊維でできていて、犬猫等の足を入れる通気性の良い袋Ａの外側は外気の熱を反射する金属繊維布等の熱反射効果の高い繊維でできている、以上のことを特徴とするペット用靴。
【請求項４】
犬猫等の足に履かせる靴で、犬猫等の足を入れる袋Ａは外気の熱を反射する金属繊維布等の熱反射効果の高い繊維でできている、又は犬猫等の足を入れる袋Ａは外気の熱を反射する金属フィルム等の熱反射効果の高いフィルムでできている、以上のことを特徴とするペット用靴。
【発明の詳細な説明】
【０００１】
【発明の属する技術分野】
犬猫等のペット用靴の技術。
【０００２】
【従来の技術】
犬猫等のペットの靴底に断熱効果の高い断熱材は無く、また靴の表面の布がアスファルト舗装の熱や外気の熱を反射する熱反射効果の高い繊維で作られていないので、従来の靴を履かせて日中アスファルト舗装の上を散歩すると、犬猫等のペットの足裏が火傷したり、犬猫等が熱射病になってしまうことが多い。
【０００３】
【発明が解決しようとする課題】
靴を付けて日中アスファルト舗装の上を散歩しても、犬猫等のペットの足裏が火傷したり、犬猫等のペットが熱射病にならないペット用靴を作る。
【０００４】
【課題を解決するための手段】
犬猫等の足を入れる袋の内側の底部に犬猫等の足を乗せる発泡ゴム等でできた板状の断熱材を取り付け、犬猫等の足を入れる袋の外側底部に発泡ゴム等でできた断熱材の靴底部を取り付け、犬猫等の足を入れる通気性の良い袋は外気の熱を反射する金属繊維布等の熱反射効果の高い繊維でできていて、又は犬猫等の足を入れる袋Ａは外気の熱を反射する金属フィルム等の熱反射効果の高いフィルムでできていてる、以上のことを特徴とするペット用靴。
【０００５】
【発明の実施の形態】
犬猫等の足に履かせる靴で、犬猫等の足を入れる袋Ａの内側の底部に犬猫等の足を乗せる発泡ゴム等でできた板状の断熱材Ｃを取り付け、犬猫等の足を入れる通気性の良い袋Ａの内側は綿布等の断熱効果の高い繊維でできていて、犬猫等の足を入れる通気性の良い袋Ａの外側はアスファルト舗装等からの熱や外気の熱を反射する金属繊維布等の熱反射効果の高い繊維でできていて、犬猫等の足を入れる袋Ａの外側に一般ボタン結合式、スナップボタン結合式、面ファスナ結合式、フック結合式及びファスナー結合式などの結合式Ｅを取り付け、犬猫等の足を入れる袋Ａの外側にベルトＤを取り付け、ベルトＤに一般ボタン結合式、スナップボタン結合式、面ファスナ結合式、フック結合式及びファスナー結合式などの結合式Ｅを取り付け、犬猫等の足を入れる袋Ａの外側に取り付けた結合式ＥとベルトＤに取り付けた結合式Ｅは結合して固定できるように取り付け、結合式Ｅを結合して、犬猫等の足を入れる袋Ａが犬猫等の足に固定できるようにし、犬猫等の足を入れる袋Ａの外側の底部に靴底部である発泡ゴム等でできた断熱材Ｂを取り付け、靴底部である発泡ゴム等でできた断熱材Ｂの外側の底面及び周囲を滑り止め加工として凹凸状にした、以上のことを特徴とするペット用靴。
【０００６】
犬猫等の足に履かせる靴で、犬猫等の足を入れる袋Ａの内側の底部に犬猫等の足を乗せる発泡ゴム等でできた板状の断熱材Ｃを取り付け、犬猫等の足を入れる袋Ａは外気の熱を反射する金属繊維布等の熱反射効果の高い繊維でできていて、又は犬猫等の足を入れる袋Ａは外気の熱を反射する金属フィルム等の熱反射効果の高いフィルムでできていて、犬猫等の足を入れる袋Ａの外側に一般ボタン結合式、スナップボタン結合式、面ファスナ結合式、フック結合式及びファスナー結合式などの結合式Ｅを取り付け、犬猫等の足を入れる袋Ａの外側にベルトＤを取り付け、ベルトＤに一般ボタン結合式、スナップボタン結合式、面ファスナ結合式、フック結合式及びファスナー結合式などの結合式Ｅを取り付け、犬猫等の足を入れる袋Ａの外側に取り付けた結合式ＥとベルトＤに取り付けた結合式Ｅは結合して固定できるように取り付け、結合式Ｅを結合して、犬猫等の足を入れる袋Ａが犬猫等の足に固定できるようにし、犬猫等の足を入れる袋Ａの外側の底部に靴底部である発泡ゴム等でできた断熱材Ｂを取り付け、靴底部である発泡ゴム等でできた断熱材Ｂの外側の底面及び周囲を滑り止め加工として凹凸状にした、以上のことを特徴とするペット用靴。
【０００７】
【実施例】
本発明の実施例を示す。犬猫等の足に履かせる靴で、犬猫等の足を入れる袋Ａの内側の底部に犬猫等の足を乗せる発泡ゴムでできた板状の断熱材Ｂを取り付け、犬猫等の足を入れる通気性の良い袋Ａの内側は綿布等の断熱効果の高い繊維でできていて、犬猫等の足を入れる通気性の良い袋Ａの外側は外気の熱を反射する金属繊維布等の熱反射効果の高い繊維でできていて、犬猫等の足を入れる袋Ａの外側に面ファスナ結合式Ｅを取り付け、犬猫等の足を入れる袋Ａの外側にベルトＤを取り付け、ベルトＤに面ファスナ結合式Ｅを取り付け、犬猫等の足を入れる袋Ａの外側に取り付けた面ファスナ結合式ＥとベルトＤに取り付けた面ファスナ結合式Ｅは結合できるように取り付け、面ファスナ結合式Ｅを結合して、犬猫等の足を入れる袋Ａが犬猫等の足に固定できるようにし、犬猫等の足を入れる袋Ａの外側の底部に靴底部である発泡ゴムでできた断熱材Ｂを取り付け、靴底部である発泡ゴムでできた断熱材Ｂの外側の底面及び周囲を滑り止め加工として凹凸状にした、以上のことを特徴とするペット用靴である。
【０００８】
本発明の実施例を示す。犬猫等の足に履かせる靴で、犬猫等の足を入れる袋Ａの内側の底部に犬猫等の足を乗せる発泡ゴムでできた板状の断熱材Ｂを取り付け、犬猫等の足を入れる袋Ａの外側は外気の熱を反射する金属フィルム等の熱反射効果の高いフィルムでできていて、犬猫等の足を入れる袋Ａの内側は綿布等の断熱効果の高い繊維でできていて、犬猫等の足を入れる袋Ａの外側に面ファスナ結合式Ｅを取り付け、犬猫等の足を入れる袋Ａの外側にベルトＤを取り付け、ベルトＤに面ファスナ結合式Ｅを取り付け、犬猫等の足を入れる袋Ａの外側に取り付けた面ファスナ結合式ＥとベルトＤに取り付けた面ファスナ結合式Ｅは結合できるように取り付け、面ファスナ結合式Ｅを結合して、犬猫等の足を入れる袋Ａが犬猫等の足に固定できるようにし、犬猫等の足を入れる袋Ａの外側の底部に靴底部である発泡ゴムでできた断熱材Ｂを取り付け、靴底部である発泡ゴムでできた断熱材Ｂの外側の底面及び周囲を滑り止め加工として凹凸状にした、以上のことを特徴とするペット用靴である。
【０００９】
【発明の効果】
靴を履かせて日中アスファルト舗装の上を散歩しても、犬猫等のペットの足裏が火傷しない、ペットが熱射病にならないペット用靴ができる。
【図面の簡単な説明】
【図１】実施例のペット用靴。
【符号の説明】
Ａ    犬猫等の足を入れる袋
Ｂ    発泡ゴム等でできた断熱材
Ｃ    犬猫等の足を乗せる発泡ゴム等でできた板状の断熱材
Ｄ    ベルト
Ｅ    一般ボタン結合式、スナップボタン結合式、面ファスナ結合式、フック結合式及びファスナー結合式などの結合式
【図１】
2004208615.tif 000003